(57)【要約】【課題】端末からの送信電力を簡便に調整する。【解決手段】基地局装置は、受信部、予測部、算出部、割り当て部、送信部を備える。受信部は、端末が保持する送信データのデータ量を含む通信要求を受信する。予測部は、データ量と端末に割り当てられる帯域の予測量を用いて、データの送信に用いられる送信フレームの予測数を求める。算出部は、端末から受信するデータの受信品質の目標値と、端末から受信したデータの受信品質の実測値との差分を求めるとともに、差分を閾値以内に調整する場合に端末へ送信電力の調整を要求する回数である調整回数を算出する。割り当て部は、予測数が調整回数よりも小さい場合、送信データが調整回数と同数のフレームで送信されるように、端末に割り当てる帯域の量を小さくする。送信部は、端末がフレームを送信する前に、端末に割り当てる帯域の情報と送信電力の調整要求を、端末に送信する。【選択図】図１
2013214820.tif 000002
【特許請求の範囲】
【請求項１】
端末が保持する送信データのデータ量を含む通信要求を受信する受信部と、
前記データ量と前記端末に割り当てられる帯域の予測量を用いて、前記送信データの送信に用いられるフレームの予測数を求める予測部と、
前記端末から受信するデータの受信品質の目標値と、前記端末から受信したデータの受信品質の実測値との差分を求めるとともに、前記差分を閾値以内に調整する場合に前記端末へ送信電力の調整を要求する回数である調整回数を算出する算出部と、
前記予測数が前記調整回数よりも小さい場合、前記送信データが前記調整回数と同数のフレームで送信されるように、前記端末に割り当てる帯域の量を小さくする割り当て部と、
前記端末がフレームを送信する前に、前記端末に割り当てる帯域の情報と前記送信電力の調整要求を、前記端末に送信する送信部
を備えることを特徴とする基地局装置。
【請求項２】
前記端末で前記送信電力が調整された後に送信された調整後の信号の受信品質と前記目標値との差分が、前記閾値以内のとき、前記端末に前記予測量の帯域を割り当てることを決定する決定部をさらに備え、
前記割り当て部は、前記端末に前記予測量の帯域を割り当てることが決定されると、前記予測量を用いて帯域の割り当てを調整する
ことを特徴とする請求項１に記載の基地局装置。
【請求項３】
前記算出部は、前記調整回数の最大数を記憶し、
前記調整回数が前記最大数を超えると、前記算出部は、前記最大数を前記送信電力の調整を要求する回数とし、
前記割り当て部は、前記送信データが前記最大数と同数のフレームで送信されるように、前記端末に割り当てる帯域の量を調整し、
前記送信部は、前記送信電力の調整要求を、前記最大数と同じ回数、前記端末に送信する
ことを特徴とする請求項１もしくは２に記載の基地局装置。
【請求項４】
端末が保持する送信データのデータ量を含む通信要求を受信し、
前記データ量と前記端末に割り当てられる帯域の予測量を用いて、前記送信データの送信に用いられる送信フレームの予測数を求め、
前記端末から受信するデータの受信品質の目標値と、前記端末からの受信したデータの受信品質の実測値の差分を求めるとともに、前記差分を閾値以内に調整する場合に前記端末へ送信電力の調整を要求する回数である調整回数を算出し、
前記予測数が前記調整回数よりも小さい場合、前記送信データが前記調整回数と同数のフレームで送信されるように、前記端末に割り当てる帯域の量を小さくし、
前記端末がフレームを送信する前に、前記端末に割り当てる帯域の情報と前記送信電力の調整要求を、前記端末に送信する
処理を基地局が行うことを特徴とする通信方法。
【請求項５】
前記端末は、前記基地局が前記送信データを前記調整回数と同数のフレームで送信されるように前記端末に割り当てる帯域の量を小さくしたことにより、前記送信電力の調整要求を、前記調整回数と同数分受信し、
前記端末は、調整要求を受信すると、前記端末の送信電力を、前記調整要求に含まれている調整量だけ変動させてから、前記送信データを含むフレームを前記基地局に送信することにより、前記調整回数と同じ回数だけ、前記端末の送信電力を調整する
ことを特徴とする請求項４に記載の通信方法。
【発明の詳細な説明】
【技術分野】
【０００１】
本発明は、基地局装置と、その基地局装置を用いた通信方法に関する。
【背景技術】
【０００２】
基地局は、端末から通信の要求を受けると、端末が送信しようとしている送信データの量に応じて、端末が送信データの送信に使用することができる周波数帯域の割り当てを決定する。また、基地局は、端末から受信した制御信号の受信品質を例えばＳＩＲ（Signal to Interference Ratio）などを用いて評価し、端末が基地局への送信に用いている送信電力が適切であるかを判定する。基地局は、判定結果に応じて、端末に対して送信電力の調整を要求する。基地局は、端末が送信データの送信に用いることができる周波数帯域の割り当てを端末に通知するときに、端末に対して送信電力の調整を要求する。端末は、基地局からの通知に応じて送信電力を調整したうえで、送信データを基地局に送信する。
【０００３】
関連する技術として、基地局装置が端末からの信号を適切に受信できるように、端末に対して送信電力の調整を要求する周期を設定する方法が知られている。
【先行技術文献】
【特許文献】
【０００４】
【特許文献１】特開２０１０−２８７７６号公報
【発明の概要】
【発明が解決しようとする課題】
【０００５】
背景技術に記載した方法では、端末からの送信データの量が少なく、基地局との間の通信の回数が少ない端末については、送信電力の調整が困難であるという問題がある。例えば、端末から基地局向けに送信する１つのフレームに送信データが全て含められるとする。この場合、基地局は送信データの受信が終わるとその端末に対しては、ユーザデータの送信用に周波数帯域を割り当てないため、基地局は、その端末に１回しか周波数帯域の割り当てを通知しない可能性がある。基地局は、割り当てた周波数帯域を端末に通知する際に、送信電力の調整を要求しているので、周波数帯域の割り当てを通知しなければ、送信電力の調整を要求しないことになる。すると、端末の送信電力の調整が不十分であっても、基地局は端末に送信電力の調整を要求することができない。このため、次回以降にその端末がデータを送信してくるときに用いる送信電力が不適切になる可能性が高い。
【０００６】
このような状況を解決するために、基地局側で計算した調整量を定期的に端末に送信する方法が考案されているが、この場合は、基地局が端末での調整結果をモニタすることができない。このため、端末の送信電力が適切に調整されても調整が継続されてしまう場合がある。
【０００７】
本発明は、端末からの送信電力を簡便に調整するための方法を提供することを目的とする。
【課題を解決するための手段】
【０００８】
実施形態にかかる基地局装置は、受信部、予測部、算出部、割り当て部、送信部を備える。受信部は、端末が保持する送信データのデータ量を含む通信要求を受信する。予測部は、前記データ量と前記端末に割り当てられる帯域の予測量を用いて、前記送信データの送信に用いられるフレームの予測数を求める。算出部は、前記端末から受信するデータの受信品質の目標値と、前記端末から受信したデータの受信品質の実測値との差分を求めるとともに、前記差分を閾値以内に調整する場合に前記端末へ送信電力の調整を要求する回数である調整回数を算出する。割り当て部は、前記予測数が前記調整回数よりも小さい場合、前記送信データが前記調整回数と同数のフレームで送信されるように、前記端末に割り当てる帯域の量を小さくする。送信部は、前記端末がフレームを送信する前に、前記端末に割り当てる帯域の情報と前記送信電力の調整要求を、前記端末に送信する。
【発明の効果】
【０００９】
端末からの送信電力が簡便に調整される。
【図面の簡単な説明】
【００１０】
【図１】実施形態に係る方法の例を説明する図である。
【図２】基地局のハードウェア構成の例を示す図である。
【図３】基地局の構成例を示す図である。
【図４】基地局が用いられるシステムで使用されるチャネルの例を示す図である。
【図５】調整量テーブルの例を示す図である。
【図６】再送判定部が記憶するデータの例を示すテーブルである。
【図７】第１の実施形態で行われる通信方法の例を説明するシーケンス図である。
【図８】リソースブロックの割り当ての際に処理される情報の例を示すテーブルである。
【図９】第１の実施形態での基地局の動作の例を説明するフローチャートである。
【図１０】ＲＢ割り当て部が記憶するデータの例を示すテーブルである。
【図１１】リソースブロックの割り当ての際に処理される情報の例を示すテーブルである。
【図１２】第２の実施形態での基地局の動作の例を説明するフローチャートである。
【図１３】ＳＩＲ調整回数の算出方法の例を説明するフローチャートである。
【図１４】ＳＩＲ調整回数の算出方法の例を説明するフローチャートである。
【発明を実施するための形態】
【００１１】
図１は、実施形態に係る方法の例を説明する図である。図１の例では、基地局１０は端末１ａと端末１ｂの両方と通信を確立しているものとする。また、以下の説明では、端末への周波数帯域の割り当ての単位を「リソースブロック」と記載することがある。ここで、１つのリソースブロックは、一定の数の連続したサブキャリアについての、連続した一定の時間を表す。例えば、１２個の連続したサブキャリアについての連続した０．５ミリ秒の間を１つのリソースブロックとすることができる。
【００１２】
端末１ａおよび１ｂは、基地局１０と通信を確立した後に、基地局１０に対して送信データの量を通知する。基地局１０は、端末１ａ、１ｂから通信の要求を受信すると、各々の端末１の送信データの量と端末１に割り当てることが可能なリソースブロックの数から、端末１ａ、１ｂが送信データの送信に用いるフレーム数の予測値を算出する。ここでは、分かりやすくするために、端末１ａと１ｂのいずれも１つのフレームで送信データを送信できると予測されているものとする。以下の記載では、送信データの送信に用いるフレーム数の予測値のことを「分割予測数」と記載することがある。また、ある端末に割り当てることが可能なリソースブロックの数を「予測割り当て数」と記載することがあるものとする。基地局１０は、各フレームの送信前に端末１にリソースブロックの割り当て結果を通知するが、このときに、送信電力の調整の要求と、要求する調整量も合わせて通知する。従って、分割予測数は、基地局１０が端末１に送信電力の調整を要求する回数の予測値であるといえる。
【００１３】
端末１ａについて分割予測数を求める他に、基地局１０は、端末１ａから送信された信号の受信電力を用いて、端末１ａから送信された信号のＳＩＲを求める。基地局１０は、予め、端末１から送信される信号の受信品質の目標値を記憶している。以下、端末１から送信される信号の受信品質の目標値のことを「目標ＳＩＲ」と記載することがあるものとする。また、基地局１０は、端末１での１回の調整で要求できる送信電力の変更量も記憶している。そこで、基地局１０は、端末１ａのＳＩＲと目標ＳＩＲの差と、１回の調整で要求できる送信電力の変更量を用いて、端末１ａのＳＩＲを目標ＳＩＲにする場合に端末１ａに対して要求する送信電力の調整の回数（調整回数）を求める。
【００１４】
基地局１０は、端末１ａについて得られた調整回数と、端末１ａについて得られた分割予測数を比較する。分割予測数よりも調整回数が大きい場合、基地局１０は、分割予測数分のフレームを用いて送信データが送信されると、端末１ａでの送信電力の調整が終わる前に送信データの送信が終了するために、端末１ａの送信電力の調整が不十分になると判定する。そこで、基地局１０は、送信データが調整回数と同数のフレームによって送信されるように、端末１ａに割り当てるリソースブロックの数を変更する。
【００１５】
例えば、端末１ａについて得られた分割予測数は１であるが、端末１ａの送信電力が低すぎるため、端末１ａから得られる信号を目標ＳＩＲにする場合の調整回数は１０回であるとする。すると、基地局１０は、端末１ａが送信データを送信するために１０個のフレームを使用するように、端末１ａに割り当てるリソースブロックの数を少なくする。基地局１０は、制御信号２ａにより、変更後のリソースブロックの数を割り当てた結果、端末１ａへの送信電力の調整要求、および、送信電力の調整量を、端末１ａに通知する。端末１ａは、基地局１０からの要求に応じて送信電力を調整した後で、割り当てられたリソースブロックを用いて、送信データの一部を基地局１０に送信する。送信されたフレームを３ａとして示す。
【００１６】
基地局１０は、変更後のリソースブロックの数を端末１ａに割り当てた結果と送信電力の調整要求、調整量を、制御信号２ｂでも端末１ａに向けて送信する。端末１ａは、制御信号２ｂに応じて送信電力を調整して、送信データの一部を、フレーム３ｂを用いて、基地局１０に送信する。同様の処理により、基地局１０は、端末１ａに１０回目の制御信号２ｃを送信する。端末１ａは、制御信号２ｃに従って送信電力を制御した後で、フレーム３ｃに送信データの一部を含めて基地局１０に送信する。このような処理により、制御信号２ｃを用いた調整後に端末１ａから基地局１０に送信される信号のＳＩＲは、目標ＳＩＲに近い値となっている。
【００１７】
一方、端末１ｂについては、分割予測数と調整回数のいずれも１であったとする。すると、基地局１０は、端末１ｂについては、送信データの送信に用いられるフレーム数を分割予測数から変更しなくても良いと判定する。そこで、制御信号２ｄにより、端末１ｂへのリソースブロックの予測割り当て数を用いた割り当て結果、送信電力の調整要求、および、送信電力の調整量が、端末１ｂに通知される。端末１ｂは、制御信号２ｄに従って送信電力を制御した後で、フレーム３ｄに送信データを含めて送信する。
【００１８】
このように、端末１から送信された信号の受信状況が目標値からずれている場合に、基地局１０は、端末１が送信データの送信に用いるフレーム数を増大させることにより、端末１に送信電力の調整を要求する機会を確保する。このため、基地局１０は、端末１の送信データの量が少ない場合であっても、端末１の送信電力を目標のＳＩＲが得られるように調整することができる。さらに、送信電力の調整の要求は周波数帯域の割り当てと共に端末１に通知されるので、端末１からのデータの送信が終わると端末１の送信電力の調製も行われなくなる。このため、実施形態にかかる方法では、調整の回数が多くなりすぎることも防止される。
【００１９】
＜第１の実施形態＞
以下、図面を参照しながら第１の実施形態について説明する。なお、図面では、後述する端末の識別子に合わせて、端末をＵＥ（User Equipment）と記載していることがある。
【００２０】
図２は、基地局１０のハードウェア構成の例を表す。基地局１０は、アンテナ１１、ＲＦ処理回路６１、制御回路６２、メモリ６３を備えている。ＲＦ処理回路６１、制御回路６２、メモリ６３で行われる処理の例を、図３を参照しながら説明する。
【００２１】
図３は、基地局１０の構成例を示す図である。基地局１０は、アンテナ１１、ＲＦ処理部１２、ベースバンド信号処理部２０を備える。ＲＦ処理回路６１はＲＦ処理部１２として動作し、搬送波の処理や信号の増幅などを行う。制御回路６２は、ベースバンド信号処理部２０として動作する。また、メモリ６３は、適宜、ベースバンド信号処理部２０の処理に用いられる。
【００２２】
ＲＦ処理部１２は、受信部１３と送信部１４を備える。受信部１３は、端末１から送信されてきた信号を、アンテナ１１を介して受信する。また、受信部１３は、受信した信号の増幅処理や搬送波の除去などを行い、処理後の信号を復調部３１に出力する。送信部１４は、変調部５１から入力された信号に対して、増幅や搬送波を掛け合わせるなどの処理を行い、処理後の信号を端末１に向けて送信する。
【００２３】
ベースバンド信号処理部２０には、上り信号処理部３０、リソース割り当て処理部４０、下り信号処理部５０が含まれる。上り信号処理部３０、リソース割り当て処理部４０、および、下り信号処理部５０で処理される信号の例について、図４を参照しながら説明する。図４は、基地局１０が用いられるシステムで使用されるチャネルの例を示す図である。図４はＬＴＥ（Long Term Evolution）に対応したシステムの場合を例としている。以下の説明では、ＬＴＥに対応したシステムで動作する基地局１０を例として、動作を詳しく説明する。
【００２４】
端末１は、物理ランダムアクセスチャネル（ＰＲＡＣＨ：Physical Random Access Channel）を介して、通信要求などのＲＡＣＨ処理に用いられる信号を基地局１０に送信する。また、端末１は、基地局１０から通知されたリソースブロックを用いた通信により、送信データを基地局１０に送信する。送信データを含むフレームは、物理上りリンク共用チャネル（ＰＵＳＣＨ：Physical Uplink Shared Channel）を介して、端末１から基地局１０に送信される。受信部１３は、ＰＲＡＣＨやＰＵＳＣＨを介して受信した信号を処理した後、上り信号処理部３０に出力する。
【００２５】
上り信号処理部３０は、復調部３１、復号部３２、ＵＬ（Uplink）信号処理部３３を備え、端末１から基地局１０に向けて送信されてきた信号を処理する。復調部３１は、受信部１３から入力された信号を復調し、得られた信号を復号部３２に出力する。復号部３２は、入力された信号を復号してＵＬ信号処理部３３に出力する。ＵＬ信号処理部３３は、復号部３２から入力されたデータを処理し、適宜、受信データを端末１の通信先へ転送するための処理などを行う。
【００２６】
一方、下り信号処理部５０は、変調部５１、符号化部５２、ＤＬ（Downlink）信号処理部５３を備え、基地局１０が端末１に送信する信号を処理する。基地局１０は、物理下りリンク制御チャネル（ＰＤＣＣＨ：Physical Downlink Control Channel）、物理ハイブリッド自動再送要求指示チャネル（ＰＨＩＣＨ：Physical Hybrid ARQ Indicator Channel）を介して、端末１に信号を送信できる。基地局１０は、リソースブロックの割り当て、端末１の送信電力の調整量などを、ＰＤＣＣＨを介して端末１に送信する。基地局１０は、端末１から送信されたデータの受信に成功したかを、ＰＨＩＣＨを介して端末１に通知する。さらに、基地局１０から端末１にデータが送信される場合は、物理下りリンク共用チャネル（ＰＤＳＣＨ：Physical Downlink Shared Channel）が用いられる。さらに、基地局１０からの報知信号は、物理報知チャネル（ＰＢＣＨ：Physical Broadcast Channel）から送信される。
【００２７】
ＤＬ信号処理部５３は、これらのチャネルを介して送信される制御情報やデータを処理し、ベースバンド信号を生成する。ＤＬ信号処理部５３は、ベースバンド信号を符号化部５２に出力する。符号化部５２は、端末１と基地局１０の間の通信品質に応じて決定された符号化率を用いて、ベースバンド信号を符号化する。符号化部５２は符号化後の信号を変調部５１に出力する。変調部５１は、入力された信号を、端末１と基地局１０の間の通信品質に応じて決定された変調方式を用いて変調する。変調部５１は、変調後の信号を送信部１４に出力する。
【００２８】
リソース割り当て処理部４０は、端末１からの通信要求に応じて端末１にリソースブロックを割り当てる。リソース割り当て処理部４０は、分割数予測部４１、調整回数算出部４２、分割数決定部４３、ＲＢ割り当て部４４、再送判定部４５を備える。
【００２９】
分割数予測部４１は、送信データ量と予測割り当て数を用いて分割予測数を求める。さらに、分割数予測部４１は、得られた分割予測数を分割数決定部４３に出力する。分割数予測部４１の動作の例については後述する。
【００３０】
調整回数算出部４２は、調整回数を計算する。調整回数算出部４２は、端末１についての目標とする通信品質を表す値を記憶している。以下の説明では、通信品質がＳＩＲである場合を例として説明する。さらに、調整回数算出部４２は、１回の調整で端末１が調整することができる送信電力の量を記憶している。例えば、調整回数算出部４２は、図５に示すような調整量テーブルを備えることができる。図５は、基地局１０から端末１への送信電力の調整の要求と調整量の通知に、ＴＰＣコマンドが用いられる場合の例を示している。調整回数算出部４２は、送信電力の調整量を用いて調整回数を計算し、得られた値を分割数決定部４３に出力する。調整回数算出部４２の動作についても後で詳しく説明する。
【００３１】
分割数決定部４３は、調整回数と分割予測数の比較結果に基づいて、分割数を決定する。ここで、「分割数」は、送信データの送信に使用するフレーム数のことを指すものとする。分割数決定部４３は、調整回数が分割予測数よりも大きい場合、分割数を調整回数と一致させる。一方、調整回数が分割予測数以下の場合は、分割数を分割予測数に設定する。例えば、図１に示す端末１ａでは、調整回数が１０回で分割予測数が１である。従って、分割数決定部４３は、図１の端末１ａについて、分割数を１０としている。一方、図１に示す端末１ｂでは、調整回数が１回で分割予測数も１であるので、分割数決定部４３は、端末１ｂの分割数を１とする。分割数決定部４３は、分割数をＲＢ割り当て部４４に出力する。
【００３２】
ＲＢ割り当て部４４は、分割数決定部４３で決定された分割数に応じて、端末１に割り当てるリソースブロックの数を特定すると共に、特定した数のリソースブロックを割り当てる。ＲＢ割り当て部４４は、リソースブロックの割り当ての結果をＤＬ信号処理部５３に出力する。ＤＬ信号処理部５３は、端末１に向けた通知メッセージを生成する。なお、端末１にリソースブロックの割り当てを通知する通知メッセージには、端末１での送信信号の調整量も含まれている。
【００３３】
再送判定部４５は、端末１から受信したフレームのＣＲＣ（Cyclic Redundancy Check）の値をチェックすることにより、フレームの受信に成功したかを判定する。ＣＲＣでエラーが検出された場合、データの再送が行われることになるので、再送を行う可能性のある端末１の識別子を特定して記憶する。
【００３４】
図６は、再送判定部４５が記憶するデータの例を示すテーブルである。図６の例では、端末１の識別子に対応付けて、ＣＲＣのチェック結果と再送が行われるかが記録されている。ＵＥ１〜ＵＥ４については、受信フレームのＣＲＣの値に異常がないので、再送が行われない。一方、ＵＥ５から送信されたデータが含まれているフレームのＣＲＣは異常値であったため、再送が行われる。再送判定部４５は、ＣＲＣが異常な値を示した端末１に対して、ＰＨＩＣＨを介して再送要求を送信するための処理を行う。
【００３５】
図７は、第１の実施形態で行われる通信方法の例を説明するシーケンス図である。以下、図７を参照しながら、基地局１０とＵＥ１の識別子で識別される端末との間の通信で行われる動作の例を説明する。以下の手順の番号は、図７中の番号に対応している。また、以下の説明では、送信電力の調整は、ＴＰＣコマンドを用いて行われるものとする。
【００３６】
（１）基地局１０とＵＥ１の間で、ＲＡＣＨ処理が行われ、通信が確立される。
（２）ＵＥ１は、基地局１０に対して、通信要求メッセージを送信する。
（３）基地局１０は、通信要求メッセージを受信すると、ＵＥ１が送信データ量などの情報を基地局１０に通知するために用いるリソースブロックを決定する。さらに、基地局１０は、ＵＥ１に、決定したリソースブロックを通知する。
（４）ＵＥ１は、通知されたリソースブロックを用いて送信データ量を基地局１０に通知する。以下の説明では、ＵＥ１の送信データ量はＤ１であるものとする。
【００３７】
（５）ＵＥ１から送信データ量を通知されると、基地局１０は、送信データの送受信のために行う通信の回数を、送信データの量とＵＥ１から受信したデータの通信品質から、以下の手順で決定する。以下、ＵＥ１の通信について図８（ａ）に示すように決定される場合を例として説明する。
【００３８】
分割数予測部４１は、分割予測数Ｇを求めるために、まず、端末１と基地局１０の間の通信品質に基づいて、変調方式、符号化率、リソースブロックの予測割り当て数を決定する。分割数予測部４１は、複数の端末の間での割り当ての優先度を決めるために、例えば、スケジューリング係数を用いることができる。スケジューリング係数の計算方法は、例えば、Proportional Fairness方式、ラウンドロビン方式、Maximum carrier-to-interference-and-noise ratio方式（Ｍａｘｉｍｕｍ  ＣＩＮＲ方式）などの任意の計算方法とすることができる。ここで、優先度が計算された結果、ＵＥ１にリソースブロックが割り当てられることになったとする。さらに、ＵＥ１へのリソースブロックの予測割り当て数はＰ１となったとする。
【００３９】
分割数予測部４１は、予測割り当て数を決定すると、変調方式や符号化率を用いて、トランスポートブロックサイズを求める。分割数予測部４１が求めたトランスポートブロックサイズは、リソースブロックの予測割り当て数に基づいて得られた値である。そこで、以下の記載では、分割数予測部４１が求めたトランスポートブロックサイズの値を「トランスポートブロックサイズの予測値」と記載する。分割数予測部４１は、トランスポートブロックサイズの予測値から、分割予測数を次式により求める。なお、Ｇは整数であるので、計算結果が整数ではない場合は、小数点以下の値が切り上げられるものとする。
Ｇ＝Ｄ１／ＴＢＳｐ
式中のＧは分割予測数、ＴＢＳｐはトランスポートブロックサイズの予測値であるものとする。ここで得られた分割予測数は、図８（ａ）のＵＥ１の欄に示すようにＧ＝１であるとする。
【００４０】
調整回数算出部４２は、調整回数を計算する。ここでは、調整回数は、端末１からの受信信号のＳＩＲを目標ＳＩＲにするときに用いられるＴＰＣコマンド数Ｘであるものとする。調整回数算出部４２は、ＵＥ１からの受信信号の電力を用いて、ＳＩＲを算出する。このとき、調整回数算出部４２は、ＰＵＳＣＨを介して受信した信号の電力を用いて、ＳＩＲを計算する。調整回数算出部４２は、ＳＩＲの実測値（ＳＩＲ＿ｏｂｓ）とＳＩＲの目標値（ＳＩＲ＿ｔ）の差を求め、得られた差を解消するために行う調整の回数を計算する。
Ｘ＝（ＳＩＲ＿ｔ−ＳＩＲ＿ｏｂｓ）／Ａ
＝ｄｓｉｒ／Ａ                    ・・・（α）
ここで、ＸはＴＰＣコマンド数、ｄｓｉｒは、ＳＩＲの実測値とＳＩＲの目標値の差分、Ａは１回の調整で解消される差分を示すものとする。なお、Ａは０以外の値である。また、Ｘは整数であるので、式（α）の計算結果が整数でない場合は、小数点以下を切り上げた値となる。
【００４１】
この例では、調整回数算出部４２は、調整量Ａを図５のテーブルから決定するものとする。調整回数算出部４２は、図５のテーブルより、ＵＥ１からの受信電力のＳＩＲ＿ｏｂｓが目標値ＳＩＲ＿ｔよりも小さい場合は、ＵＥ１に対して送信電力を３ｄＢ大きくすることか、１ｄＢ大きくすることを要求できると認識する。また、調整回数算出部４２は、ＵＥ１からの受信電力のＳＩＲ＿ｏｂｓが目標値ＳＩＲ＿ｔよりも大きい場合は、ＵＥ１に対して送信電力を１ｄＢ小さくすることを要求できると認識する。また、調整回数算出部４２は、ｄｓｉｒの大きさに応じて調整量を以下のように決定する。
ｄｓｉｒ≦−１      ：Ａ＝−１とし、送信電力を１ｄＢ小さくする
−１＜ｄｓｉｒ＜１  ：Ａ＝０とし、調整なし
１≦ｄｓｉｒ＜３    ：Ａ＝１とし、送信電力を１ｄＢ大きくする
３≦ｄｓｉｒ        ：Ａ＝３とし、送信電力を３ｄＢ大きくする
なお、Ａ＝０の場合は、Ａの値を式（α）に当てはめることができないので、調整回数算出部４２は、Ａ＝０の場合、ＴＰＣコマンド数Ｘを１とする。
【００４２】
例えば、ＵＥ１についてのＳＩＲの実測値が−１０ｄＢであって、ＳＩＲの目標値が２０ｄＢである場合、ｄｓｉｒは、３０ｄＢである。図５に示すＴＰＣコマンドを用いると、１回の調整で端末１ａの送信電力は＋３ｄＢ増大させることができるので、１回の調整により、ＳＩＲが＋３ｄＢ改善できることが見込まれる。このため、調整回数算出部４２は、Ｘ＝３０／３＝１０より、ＴＰＣコマンド数を１０と計算する。調整回数算出部４２は、ＴＰＣコマンド数を分割数決定部４３に出力する。さらに、調整回数算出部４２は、調整量ＡをＤＬ信号処理部５３に出力する。
【００４３】
分割数決定部４３は、ＴＰＣコマンド数と分割予測数の比較結果に基づいて、分割数を決定する。ＵＥ１では、ＴＰＣコマンド数が１０で分割予測数が１である。従って、分割数決定部４３は、ＵＥ１について、図８（ａ）に示すように、分割数を１０とする。なお、以下の説明では、ＴＰＣコマンド数が分割予測数よりも多い端末を特定するために、端末の識別子に対応付けた分割割り当てフラグを用いるものとする。ＴＰＣコマンド数が分割予測数よりも多い端末については、送信電力の調整を要求する機会を確保するために分割数は分割予測数よりも大きくするので、分割数決定部４３は分割割り当てフラグを１に設定する。一方、分割割り当てフラグ＝０は、分割数と分割予測数が一致していることを表す。
【００４４】
ＲＢ割り当て部４４は、送信データ量を分割数で割った値以上の値を、送信データの送信に用いるトランスポートブロックサイズとする。ＲＢ割り当て部４４が計算するトランスポートブロックサイズは、送信データの送信に用いられることが確定している値である。従って、ＲＢ割り当て部４４が求めたトランスポートブロックサイズを、「確定トランスポートブロックサイズ」と記載することがある。例えば、ＵＥ１の分割数はＸなので、ＵＥ１の確定トランスポートブロックサイズは、Ｄ１／Ｘ以上で、Ｄ１／Ｘに最も近い値が選択される。確定トランスポートブロックサイズに基づいて、ＲＢ割り当て部４４は、１回にＵＥ１から送信されるデータの量をｄ１としたとする。さらに、確定トランスポートブロックサイズ、変調方式、符号化率を用いて、ＵＥ１に割り当てられるリソースブロックの数を求める。ここでは、ＵＥ１に対してＮ１個のリソースブロックが割り当てられるとする。すると、リソース割り当て処理部４０でＵＥ１について得られている情報は、図８（ａ）のＵＥ１の欄に示す通りとなる。なお、ｍは、基地局１０から端末１に対して送信電力の調整を要求した回数を示す。基地局１０は、まだＵＥ１に対して送信電力の調整を要求していないので、ｍ＝０である。
【００４５】
（６）ＲＢ割り当て部４４は、割り当てたリソースブロックの情報をＤＬ信号処理部５３に出力する。ここでＤＬ信号処理部５３に通知される情報では、ＵＥ１からの送信データの送信に用いられる分割数はＸであり、ＵＥ１に割り当てられるリソースブロック数はＮ１である。さらに、ＤＬ信号処理部５３は、調整回数算出部４２から通知された変更量Ａの情報も、ＵＥ１に通知する対象とする。ＤＬ信号処理部５３は、端末の識別子に対応付けて調整量Ａを記憶するものとする。例えば、ＤＬ信号処理部５３は、ＵＥ１の調整量は＋３ｄＢであると記憶する。また、ＤＬ信号処理部５３は、端末の識別子に対応付けて、その端末に通知したＴＰＣコマンドの値を記憶することもできる。例えば、ＤＬ信号処理部５３は、「ＵＥ１＝＋３」のように、ＴＰＣコマンドを記憶できる。
【００４６】
ＤＬ信号処理部５３は、ＵＥ１宛に、得られた情報を含む制御信号を生成する。ＤＬ信号処理部５３で生成された情報は、符号化部５２、変調部５１、ＲＦ処理部１２での処理を経て、ＵＥ１に送信される。
【００４７】
リソースブロックの割り当てが端末１に通知されると、ＵＥ１に対して送信電力の調整が要求されることになる。そこで、ＲＢ割り当て部４４は、リソースブロックの割り当てをＵＥ１に通知すると、ＵＥ１についてのｍの値を１つインクリメントして、ｍ＝１とする。
【００４８】
（７）ＵＥ１は、基地局１０からリソースブロックの割り当てと、送信電力の調整量を通知されると、通知された調整量に従って、送信電力を調整する。例えば、ＵＥ１の場合、調整量Ａは３ｄＢであるので、ＵＥ１は、送信電力を３ｄＢ大きくする。
【００４９】
（８）ＵＥ１は、送信電力を調整する。その後に、ＵＥ１は、基地局１０から通知されたリソースブロックに送信データの一部を含むフレームを送信する。基地局１０の再送判定部４５は、受信したフレームに含まれているＣＲＣを用いてエラーチェックを行う。受信したフレームに誤りがあれば、再送判定部４５は、再送を要求する。ここでは、ＵＥ１から送信されたフレームにエラーがなかったものとする。この場合、成功したデータの送信によりｄ１のデータが送信されたので、未送信のデータはＤ１−ｄ１になる。また、ＵＥ１の情報は、図８（ｂ）に示すように修正される。
【００５０】
（９）基地局１０のＲＢ割り当て部４４は、ＵＥ１にまだＤ１−ｄ１の送信データがあるので、リソースブロックを割り当てる。このとき、ＲＢ割り当て部４４は、図８（ｂ）に示す情報を用いてｍがＴＰＣコマンド数Ｘよりも小さいかを確認する。変数ｍがＴＰＣコマンド数Ｘよりも小さいことは、ＵＥ１の送信電力の調整が終わっていないことを意味する。ここでは、ｍ＝１であり、ｍはＸよりも小さいので、ＲＢ割り当て部４４は、まだＵＥ１に対する送信電力の調整が終了していないと判定する。そこで、ＲＢ割り当て部４４は、手順（５）で設定した条件を用いてリソースブロックをＵＥ１に割り当てる。すなわち、ＲＢ割り当て部４４は、ＵＥ１に対してＮ１個のリソースブロックを割り当てることを特定する。ＲＢ割り当て部４４は、リソースブロックを割り当てると、割り当て結果をＵＥ１の識別子と対応付けてＤＬ信号処理部５３に通知する。
【００５１】
ＤＬ信号処理部５３は、ＲＢ割り当て部４４からリソースブロックの割り当てが通知されると、割り当てと共に通知された端末の識別子に対応付けられた調整量を特定する。ＤＬ信号処理部５３は、リソースブロックの割り当てと、ＵＥ１の送信電力の調整量を含む制御信号を生成する。生成された制御信号は、符号化部５２、変調部５１、ＲＦ処理部１２の処理を経て、ＵＥ１に送信される。
【００５２】
（１０）ＵＥ１は、基地局１０からリソースブロックの割り当てと、送信電力の調整量を通知されると、手順（７）と同様に、送信電力を調整する。
（１１）送信電力の調整後、ＵＥ１は、送信データの一部を含むフレームを基地局１０に送信する。基地局１０での処理は、手順（８）と同様である。
【００５３】
（１２）以後、手順（９）〜（１１）の処理が繰り返される。ここで、ＲＢ割り当て部４４は、リソースブロックの割り当てを行う際に、再送データであるかを確認していない。従って、ＵＥ１から再送データの送信のためのリソースブロックの割り当てを要求されたとしても、変数ｍがＸ未満であれば、ＲＢ割り当て部４４は、Ｎ１個のリソースブロックをＵＥ１に割り当てる。また、ＤＬ信号処理部５３は、ＵＥ１に対応付けられている調整量を含むＲＢ割り当て通知を生成する。
【００５４】
手順（９）〜（１１）の処理が繰り返されることにより、基地局１０は、ＵＥ１へＴＰＣコマンド数（Ｘ回）と同数分、送信電力の調整を要求したとする。まだＵＥ１に送信データが残っている場合、調整回数算出部４２は、直前にＵＥ１から受信したデータを用いてＵＥ１についてＳＩＲを求め、目標ＳＩＲと比較する。
【００５５】
調整回数算出部４２は、ＵＥ１のＳＩＲが１回の調整で目標ＳＩＲに調整できる範囲である場合、調整回数算出部４２は、Ｘ＝１に変更して、分割数決定部４３に出力する。さらに、調整回数算出部４２は、新たに、ＵＥ１の送信電力の調整量を求めて、得られた値をＤＬ信号処理部５３に出力する。
【００５６】
（１３）分割数決定部４３は、次回より後の送信データの送信のためのリソースブロックを通知する際に、送信電力の変更をＵＥ１に要求しなくても良いと判定する。そこで、ＲＢ割り当て部４４は、ＵＥ１に割り当てるリソースブロックの数を、予測割り当て数Ｐ１に戻す。ＲＢ割り当て部４４は、リソースブロックを割り当て、割り当てた結果をＤＬ信号処理部５３に出力する。
【００５７】
（１４）ＤＬ信号処理部５３は、ＲＢ割り当て部４４から入力された割り当て結果と、調整回数算出部４２から入力された調整量を含む制御信号を生成する。生成された制御信号は、ＵＥ１に送信される。
【００５８】
（１５）ＵＥ１は、手順（７）、（１０）と同様に送信電力を調整する。
（１６）ＵＥ１は、送信電力の調整後に基地局１０に送信データを送信する。基地局１０の再送判定部４５は、送信データを受信すると、エラーが発生しているかを判定する。ここでは、基地局１０は、送信データを正常に受信できたものとする。
【００５９】
（１７）基地局１０は、ＵＥ１からの全ての送信データを受信できたと判定すると、ＵＥ１との間の通信を終了する。
なお、ＵＥ１と基地局１０との間で再送制御が行われていない場合は、ＵＥ１の分割数がＸに設定されているので、Ｘ回のフレームの送信により送信データは全て送信済みになっている。このため、再送が一度も無ければ、手順（１２）〜（１６）の処理は行われない。
【００６０】
図９は、第１の実施形態での基地局１０の動作の例を説明するフローチャートである。再送判定部４５は、端末１からの通信の要求を受信すると、再送データが送信されるかを、以前の受信データでのエラーの発生状況を用いて判定する（ステップＳ１）。再送データが送られてこない場合、分割数予測部４１は、端末１から送信データ量が通知されたかを判定する（ステップＳ１で初回、ステップＳ２）。端末１から送信データ量が通知された場合、分割数予測部４１は、変数ｍを０に設定する（ステップＳ２でＹｅｓ、ステップＳ３）。分割数予測部４１は、送信データ量と、トランスポートブロックサイズ（ＴＢＳ）の予測値から、分割予測数Ｇを求める（ステップＳ４）。一方、送信データ量を通知されていない場合は、既に受信しているデータの続きのデータが送信されてくるため、既に決定された条件を用いてリソースブロックを割り当てることができる可能性がある。そこで、ＲＢ割り当て部４４は、分割割り当て実施フラグが１に設定されているかを判定する（ステップＳ２でＮｏ、ステップＳ５）。
【００６１】
ステップＳ４の処理が行われた場合と、ステップＳ５で分割割り当て実施フラグが１であると判定された場合は、分割数の決定が行われる可能性がある。まず、ステップＳ４からステップＳ６に進む場合について説明する。調整回数算出部４２は、ｍが０であるという条件を満たしているかを判定する（ステップＳ６）。ステップＳ４からステップＳ６に進む場合はｍ＝０であるので、調整回数算出部４２は、端末１からの受信信号のＳＩＲ（ＳＩＲ＿ｏｂｓ）と目標ＳＩＲ（ＳＩＲ＿ｔ）の差分（ｄｓｉｒ）を求める（ステップＳ６でＹｅｓ、ステップＳ７）。さらに、調整回数算出部４２は、ｄｓｉｒと調整量Ａから、端末１に送信するＴＰＣコマンドの数Ｘを算出する（ステップＳ８）。
【００６２】
分割数決定部４３は、分割予測数Ｇが、送信するＴＰＣコマンド数Ｘより小さいかを判定する（ステップＳ９）。分割予測数Ｇが、ＴＰＣコマンド数Ｘより小さい場合、分割数決定部４３は、予定されている分割数よりも分割数を大きくする。このため、分割数決定部４３は、分割割り当て実施フラグを１に設定すると共に、分割数をＸに設定する（ステップＳ９でＹｅｓ，ステップＳ１０）。次に、ＲＢ割り当て部４４は、これから送信されるデータの量と、分割数Ｘから確定トランスポートブロックサイズ値を算出する（ステップＳ１１）。ＲＢ割り当て部４４は、確定トランスポートブロックサイズ値を用いて、リソースブロックを割り当て、割り当ての結果を送信電力の調整の要求と共に、端末１に通知する（ステップＳ１２）。
【００６３】
ステップＳ５で分割割り当て実施フラグが１であると判定された場合も、分割数の決定が行われる可能性がある。送信データを含むいずれかのフレームの再送が行われたために、再送の際にもＵＥ１の送信電力が調整された場合には、ｍがＴＰＣコマンド数Ｘ以上になっている。従って、調整回数算出部４２は、ｍ＝０でない場合は、ｍがＸ以上であるという条件を満たすかを判定する（ステップＳ６）。変数ｍがＸ以上であるということは、ＵＥ１の送信電力の調整が終わっている可能性もある。そこで、ｍがその端末１に対して決定されたＴＰＣコマンド数Ｘ以上である場合、調整回数算出部４２は、ステップＳ７〜〜Ｓ１２に示すように、さらにＵＥ１に送信電力の調整を行うかを判定する（ステップＳ６でＹｅｓ）。分割予測数ＧよりもステップＳ８で再度計算されたＴＰＣコマンド数のほうが大きい場合、基地局１０は、ＵＥ１に対する送信電力の調整が不十分であると判定して、ＵＥ１への送信電力の調整を継続する。このときの手順は、ステップＳ９でＹｅｓと判定された場合移行の手順となる。
【００６４】
一方、ステップＳ６でＮｏの場合、分割数決定部４３は、既に計算されたリソースブロック数もしくは確定トランスポートブロックサイズを用いて、リソースブロックを割り当てられると判定する。そこで、ＲＢ割り当て部４４は、既に計算された確定トランスポートブロックサイズを用いて、リソースブロックを端末１に割り当てる。さらに、基地局１０は、割り当てた結果を送信電力の調整の要求と共に、端末１に通知する（ステップＳ１３）。
【００６５】
また、ステップＳ１で再送データであると判定されると、ＲＢ割り当て部４４は、既に計算されているリソースブロック数を用いて、端末１にリソースブロックを割り当てる。図１０は、ＲＢ割り当て部が記憶するデータの例を示すテーブルである。再送判定部４５において、送信されたデータにエラーがないことが特定されるまで、ＲＢ割り当て部４４は、各端末１に割り当てたリソースブロックの数を記憶する。ＲＢ割り当て部４４は、エラーが検出された端末については、再送のためのリソースブロックの割り当てが要求された場合に、記憶している値を用いて、リソースブロックの割り当てを行うとともに、ＵＥ１へ送信電力の調整を要求する（ステップＳ１４）。
【００６６】
ステップＳ１２〜Ｓ１４のいずれかの処理が終了すると、ＲＢ割り当て部４４は、ｍを１つインクリメントする（ステップＳ１５）。その後、リソースブロックの割り当てが端末１から要求されるごとに、ステップＳ２以降の処理が繰り返される。
【００６７】
一方、ステップＳ５か、ステップＳ９でＮｏと判定されると、分割数決定部４３は、分割割り当て実施フラグを０に設定する（ステップＳ１６）。その後、分割数決定部４３は、分割数を、ステップＳ４で計算された分割予測数Ｇに変更し、ＲＢ割り当て部４４は、リソースブロックの割り当て予測数Ｐ１を用いてリソースブロックを割り当てる（ステップＳ１７）。基地局１０は、リソースブロックの割り当てを端末１に通知する。
【００６８】
つまり、分割数決定部４３は、端末１で送信電力が調整された後に受信した信号のＳＩＲと、目標ＳＩＲとの差分が小さい場合は、強制的に送信データを分割させることにより端末１に送信電力の調整を要求する機会を確保しなくても良いと判定している。ここで、信号のＳＩＲと、目標ＳＩＲとの差分が小さいとは、端末１において送信電力が１回行われることで差分が解消される程度であることを指す。また、分割数決定部４３は、端末１について求められていたリソースブロックの割り当て予測数を、その端末１への帯域の割り当てに用いることを決定しているともいえる。
【００６９】
さらに、送信電力の調整が行われる前から、ＳＩＲの実測値と目標ＳＩＲの差分が小さい場合も、端末１へのリソースブロックの割り当てに、割り当て予定数が用いられる。例えば、図８（ａ）、図８（ｂ）に示すように、ＵＥ２では、分割予測数Ｇの方が、ＴＰＣコマンド数よりも大きい。この場合、分割数決定部４３は、分割予測数を分割数に設定し、分割割り当て実施フラグを０に設定する。ステップＳ１７の処理が終わった後も、リソースブロックの割り当てが端末１から要求されるごとに、ステップＳ２以降の処理が繰り返される。
【００７０】
このように、第１の実施形態によると、基地局１０は、端末１に送信電力の調整を要求しようとする回数が、端末１の送信データ量から予測される分割予測数を超えた場合、分割数を送信電力の調整を要求する回数に合せて変更する。このため、基地局１０は、送信データ量が少ない端末１であっても、送信電力の値が不適切な端末１に対して、送信電力の調整を行うことができる。すると、次回以降の通信の際に端末１からデータが送信されてくる電力は、基地局１０で目標ＳＩＲが得られる程度の値になっている可能性が高くなる。
【００７１】
さらに、基地局１０は、変数ｍを用いて、端末１に送信電力の調整を要求した回数をカウントしている。端末１に対して、受信品質から求めた回数分、送信電力の調整を要求すると、基地局１０は、ＵＥ１の受信品質を確認することにより、送信電力の調整が終了したかを判定する。送信電力の調整が終了すると、基地局１０は端末１に送信電力の調整を要求しない。例えば、ステップＳ１７において、調整量Ａ＝０を含むリソースブロック割り当て通知が端末１に送信される。このように、基地局１０は、所定の回数ごとに端末１での調整が十分かを確認することができる。このため、端末１への調整の要求が多すぎて調整が過剰になってしまうことにより、端末１から送信されるデータの受信品質が劣化することも防止される。
【００７２】
＜第２の実施形態＞
第２の実施形態は、ＴＰＣコマンド数Ｘが非常に大きな値となった場合に、分割最大値Ｄｍａｘ以下の値であるＳＩＲ調整回数（Ｙ）と同じ回数だけ、端末１に送信電力の調整を要求する基地局１０について説明する。
【００７３】
図１１は、第２の実施形態にかかる方法で動作する基地局１０が、リソースブロックの割り当ての際に用いる情報の例を示す。図１１に含まれている情報要素は、ＳＩＲ調整回数Ｙを含む他は、図８（ａ）と同様とすることができる。ＴＰＣコマンド数Ｘは、端末１からのＳＩＲの実測値を用いて求められるため、端末１と基地局１０の間の伝搬路の状況の影響を受け易い値であるといえる。そのため、一時的に、端末１と基地局１０の間の伝搬路の状況が悪化して、その後、伝搬路の状況が回復した場合、伝搬路の状況が悪いときに設定した回数分の調整を行うと、送信電力の調整が不適切になるおそれがある。そこで、分割数決定部４３は、ＴＰＣコマンド数Ｘが分割最大値Ｄｍａｘを超えた場合、送信データの分割数をＳＩＲ調整回数Ｙに制限する。ＳＩＲ調整回数Ｙは、調整上限値Ｄｍａｘ以下の値である。ＳＩＲ調整回数Ｙと同数の調整を行っても、まだ送信データが残っている端末１については、基地局１０は、再度、送信電力の調整回数を設定しなおす。
【００７４】
図１２は、第２の実施形態での基地局の動作の例を説明するフローチャートである。図１２を参照しながら、ＵＥ３が基地局１０に通信を要求した場合の動作について、説明する。ステップＳ２１〜Ｓ２５は、図１０を参照しながら説明したステップＳ１〜Ｓ５と同様である。すなわち、初回のデータ送信で、ＵＥ３が送信データ量Ｄ３を基地局１０に通知すると、リソースブロックの割り当て予測値やトランスポートブロックサイズの予測値に基づいて、分割予測数Ｇが計算される。図１１に示すように、ＵＥ３の分割予測数は１である。
【００７５】
調整回数算出部４２は、端末１について、ｍ＝０という条件、もしくは、ｍがＳＩＲ調整回数Ｙ以上であるという条件のいずれかを満たしているかを判定する（ステップＳ２６）。なお、ｍがＳＩＲ調整回数Ｙ以上である場合は、以前設定された調整回数Ｙと同じ回数だけＵＥ３の送信電力が調整された後で、端末１から送信データの送信に用いるリソースブロックの割り当てを要求された場合である。ｍ＝０か、ｍがＳＩＲ調整回数Ｙ以上である場合、調整回数算出部４２は、端末１からの受信信号のＳＩＲ（ＳＩＲ＿ｏｂｓ）と目標ＳＩＲ（ＳＩＲ＿ｔ）の差分（ｄｓｉｒ）を求める（ステップＳ２６でＹｅｓ、ステップＳ２７）。調整回数算出部４２は、さらに、差分ｄｓｉｒが閾値を超えているかを判定し、差分ｄｓｉｒが閾値以上の場合、調整量Ａから、ＳＩＲ調整回数Ｙを算出する（ステップＳ２８でＹｅｓ、ステップＳ２９）。例えば、閾値が＋３ｄＢであるのに対してｄｓｉｒが＋３ｄＢよりも小さい場合、調整回数算出部４２は調製回数を計算しない。なお、図１２の例では閾値は、１つであるが、調整回数算出部４２は、２つの閾値の範囲にｄｓｉｒが含まれているかを判定しても良い。例えば、調整回数算出部４２は、−２ｄＢ≦ｄｓｉｒ≦＋３ｄＢの場合は、ＳＩＲ調整回数Ｙを求めないようにすることができる。ステップＳ２８で用いられる閾値は、実装に応じて任意に設定される。ＳＩＲ調整回数Ｙの計算方法については、後述する。
【００７６】
分割数決定部４３は、分割予測数Ｇが、ＳＩＲ調整回数Ｙより小さいかを判定する（ステップＳ３０）。分割予測数Ｇが、ＳＩＲ調整回数Ｙより小さい場合、予定されている分割数Ｇよりも分割数を大きくする。このため、分割割り当て実施フラグを１に設定すると共に、分割数をＳＩＲ調整回数Ｙに設定する（ステップＳ３０でＹｅｓ，ステップＳ３１）。例えば、図１１に示したＵＥ３のケースでは、分割予測数Ｇが１であるが、ＳＩＲ調整回数Ｙは１０であるので、分割数は１０に設定される。図１２のステップＳ３２〜Ｓ３８は、図１０を参照しながら説明したステップＳ１１〜Ｓ１７と同様である。
【００７７】
図１３は、ＳＩＲ調整回数の算出方法の例を説明するフローチャートである。調整回数算出部４２は、まず、差分ｄｓｉｒと調整量Ａを用いて、ＴＰＣコマンド数Ｘを求める（ステップＳ４１）。次に、調整回数算出部４２は、分割最大数Ｄｍａｘを取得する（ステップＳ４２）。Ｄｍａｘは、予め、メモリ６３に記憶されているものとする。調整回数算出部４２は、ＴＰＣコマンド数Ｘが分割最大数Ｄｍａｘ以上であるかを判定する（ステップＳ４３）。ＴＰＣコマンド数Ｘが分割最大数Ｄｍａｘ未満である場合、調整回数算出部４２は、ＴＰＣコマンド数ＸをＳＩＲ調整回数Ｙに設定する（ステップＳ４４）。一方、ＴＰＣコマンド数Ｘが分割最大数Ｄｍａｘ以上である場合、調整回数算出部４２は、ＤｍａｘをＳＩＲ調整回数Ｙに設定する（ステップＳ４５）。例えば、図１１のＵＥ３の場合は、ＴＰＣコマンド数Ｘ＝３０であるのに対し、分割最大数Ｄｍａｘ＝１０である。そこで、調整回数算出部４２は、図１１に示すように、ＳＩＲ調整回数Ｙを分割最大数と同じ値にする。
【００７８】
このように、ＳＩＲ調整回数Ｙを求めることにより、伝搬路の状況の変動による影響を小さくすることができる。さらに、第１の実施形態と同様に、送信データ量が比較的少ない端末１についても、適切な送信電力制御が行われる。
【００７９】
＜その他＞
なお、実施形態は上記に限られるものではなく、様々に変形可能である。以下にその例をいくつか述べる。
【００８０】
図１４は、ＳＩＲ調整回数の算出方法の例を説明するフローチャートである。図１４を参照しながら、第２の実施形態の変形例を説明する。図１４に示す方法では、さらに、重みｗが用いられる。
【００８１】
図１４のステップＳ５１〜Ｓ５２は、図１３を参照しながら説明したステップＳ４１〜Ｓ４２と同様である。次に、調整回数算出部４２は、メモリ６３から、重みｗを取得する（ステップＳ５３）。重みｗは、１以下の値の正の数であり、ＴＰＣコマンド数Ｘの大きさに応じて変動する値であるものとする。調整回数算出部４２は、例えば、以下のようにＴＰＣコマンド数Ｘが大きくなるにつれて小さな値となるように重みｗを記憶している。
１≦Ｘ＜１０の場合  ：  ｗ＝１
１０≦Ｘ＜１５の場合：  ｗ＝０．９
１５≦Ｘ＜２０の場合：  ｗ＝０．７
【００８２】
調整回数算出部４２は、ＴＰＣコマンド数Ｘと重みｗの積と分割最大数Ｄｍａｘを比較する（ステップＳ５４）。ＴＰＣコマンド数Ｘと重みｗの積が分割最大数Ｄｍａｘ未満である場合、調整回数算出部４２は、ＴＰＣコマンド数Ｘと重みｗの積を、ＳＩＲ調整回数Ｙに設定する（ステップＳ５５）。このとき、ＴＰＣコマンド数Ｘと重みｗの積が整数でなければ、小数点以下を切り上げた値をＳＩＲ調整回数Ｙとする。一方、ＴＰＣコマンド数Ｘと重みｗの積が分割最大数Ｄｍａｘ以上である場合、調整回数算出部４２は、ＤｍａｘをＳＩＲ調整回数Ｙに設定する（ステップＳ５５）。図１４で得られたＳＩＲ調整回数Ｙは、図１２を参照しながら説明した処理に用いられる。
【００８３】
図１４に示すように重みｗを導入することにより、伝搬路の状況の揺らぎに起因したｄｓｉｒの値の変動の影響をさらに小さくすることができる。
図４はＬＴＥ（Long Term Evolution）に対応したシステムで用いられるチャネルの例を示しているが、図４は一例である。また、基地局１０は、ＬＴＥ-Advancedなどを含む他の通信規格に対応したシステムでも使用されることがあるものとする。
【００８４】
さらに、以上の説明で用いたテーブルは一例であり、実装に応じて含まれる情報要素は変更されることがあるものとする。また、以上の説明で用いた値も例示である。
【００８５】
また、図９について、ステップＳ１３の処理の後に、調整回数算出部４２が現在のＳＩＲと目標ＳＩＲの差分であるｄｓｉｒを求め、ｄｓｉｒは端末１でもう一度送信電力が調整されると解消されるかを判定するように変形することができる。この場合、ｄｓｉｒが次回の調整により解消できると判定されると、分割数決定部４３は、端末１に対応付けら得た分割割り当て実施フラグを０に変更する。ＲＢ割り当て部４４は、分割割り当て実施フラグが０に変更された後は、その端末に対し、リソースブロックの予測割り当て数を用いて、リソースブロックを割り当てる。図１２のフローチャートについても、同様に、ステップＳ３４の処理が終わるごとに、調整回数算出部４２がｄｓｉｒを求めて、分割数決定部４３が分割割り当て実施を継続するかを判定することもできる。
【符号の説明】
【００８６】
１  端末
１０  基地局
１１  アンテナ
１２  ＲＦ処理部
２０  ベースバンド信号処理部
３０  上り信号処理部
３１  復調部
３２  復号部
３３  ＵＬ信号処理部
４０  リソース割り当て処理部
４１  分割数予測部
４２  調整回数算出部
４３  分割数決定部
４４  ＲＢ割り当て部
４５  再送判定部
５０  下り信号処理部
５１  変調部
５２  符号化部
５３  ＤＬ信号処理部
６１  ＲＦ処理回路
６２  制御回路
６３  メモリ
【図１】
2013214820.tif 000003
【図２】
2013214820.tif 000004
【図３】
2013214820.tif 000005
【図４】
2013214820.tif 000006
【図５】
2013214820.tif 000007
【図６】
2013214820.tif 000008
【図７】
2013214820.tif 000009
【図８】
2013214820.tif 000010
【図９】
2013214820.tif 000011
【図１０】
2013214820.tif 000012
【図１１】
2013214820.tif 000013
【図１２】
2013214820.tif 000014
【図１３】
2013214820.tif 000015
【図１４】
2013214820.tif 000016